(57)【要約】    【課題】高周波加熱装置において、本体前面の開口部を塞ぐドアを閉じる際に、ドアと本体前面の前板とが衝突して生じる衝撃音を低減する。    【解決手段】食品２を収納する加熱室３と、加熱室３の開口部４に装備した開閉自在なドア６と、ドア６の開閉に連動して作動するドアスイッチ９と、加熱室３の開口部４を構成する前板５と、一端を前記ドア６に回転可能に取付けられたドアアーム７と、一端をドアアーム７に取り付け、かつ、ドアアーム７を引力してドア６を前板５に密着させて閉じる方向に力を付与するバネ１２と、前記ドア６が閉じられる際のドア６の閉じ速度を減速する方向に減衰力を付与する減衰手段である回転ダンパ３０とを備え、前記回転ダンパ３０は、前記ドアアーム７に対して減衰力を付与する。    【選択図】  図３
2006145068.tif 000002
【特許請求の範囲】
【請求項１】
食品を収納する加熱室と、加熱室の開口部に装備した開閉自在なドアと、ドアの開閉に連動して作動するドアスイッチと、加熱室の開口部を構成する前板と、一端を前記ドアに回転可能に取付けられたドアアームと、一端をドアアームに取り付け、かつ、ドアアームを引力してドアを前板に密着させて閉じる方向に力を付与するスプリングと、前記ドアが閉じられる際のドアの閉じ速度を減速する方向に減衰力を付与する減衰手段とを備え、前記減衰手段は、前記ドアアームに対して減衰力を付与することを特徴とする高周波加熱装置。
【請求項２】
前板とドアの開き角度が、全閉から第一の開き角度に至るまでの第一の角度範囲においては、前記ドアはスプリングの力によって前板に密着するまで閉じられ、ドアの開き角度が全閉から第二の開き角度に至るまでの第二の角度範囲においては、ドアの閉じ速度を減速する減衰力を付与する減衰手段を備え、前記第一の角度範囲を前記第二の角度範囲より大きくしたことを特徴とする請求項１記載の高周波加熱装置。
【請求項３】
減衰手段は、前記ドアアームの一部が嵌合、又は退避可能に設けられた回動アームと接続され、前記ドアの開き角度が前記第二の角度範囲内においてはドアアームの一部が回転アームに設けられた案内溝に侵入し、前記第二の角度範囲の外においては前記ドアアームの一部は前記案内溝から離脱することを特徴とする請求項１及び２記載の高周波加熱装置。
【請求項４】
前記減衰手段は、ドアが閉じる方向に移動する場合のみに機能する一方向動作ダンパであることを特徴とする請求項１から請求項３記載の高周波加熱装置。
【請求項５】
前記回転ダンパは、第二の開き角度以下までドアが閉じられた際に、前記回動アームがドアを閉じる方向に移動することにより回転ダンパの歯車と回動ア―ムの歯車が噛み合い、前記回転ダンパを回転することによって減衰力を生じ、ドアを開く方向に移動した場合には回転ダンパと噛み合い部材とは離反する方向に移動することによって減衰力を生じないことを特徴とする請求項１から請求項３記載の高周波加熱装置。
【発明の詳細な説明】
【技術分野】
【０００１】
本発明は、高周波加熱装置に関し、詳しくはドアの開成方式に関するものである。
【背景技術】
【０００２】
従来の高周波加熱装置のドアとしては、図１に記載されているようなものが一般的であった。
【０００３】
図１は従来及び本発明を説明するための高周波加熱装置の外観斜視図である。
【０００４】
図において、本体１の前面に開口部４、内部に加熱室３が設けられ、この開口部４を通して加熱室３の内部に食品２を出し入れすることができるようになっている。前記開口部４の周囲は金属板からなる前板５が設けられている。
【０００５】
開口部４には開閉自在な縦開きドア６が設けられ、このドア６を開放すれば、食品２を加熱室３から出し入れすることができる。食品２の加熱中は、縦開きドア６は前板５に対して所定の押圧力で密着されている。
【０００６】
ドア６には透明ないし半透明のファインダ部６ａが設けられており、ドア６が閉じられているときは加熱室３内の様子を観察することができる。ドア６には取手６ｂが設けられ、この取手６ｂを手で掴んで操作することで開閉できる。
【０００７】
ドアアーム７は、前板５に設けられた穴５ａを貫通しており、一端はドア６に回転可能に支持され、他端には図示していないコイルバネが取り付けられ、コイルバネの他端は本体１の一部に固定されている。このドアアーム７は、開口部４を挟んで左右２箇所に設けられ、ドア６が開ききったとき安定になるよう支えたりするものである。
【０００８】
８は加熱室３やドアアーム７やコイルバネなどの構成部品を覆うキャビネットである。
【０００９】
９はドアスイッチで、ドア６が閉じられているとき図示していない高周波発生装置の本体１を動作可能とし、ドア６が前板５から離れて開くとき本体１を動作不可とするものである。
【００１０】
従来から、高周波加熱装置の本体１のドア６は、加熱室３の開口部４を塞ぐために設けられたもので、食品２の調理中は加熱室３内の高周波が外部に漏洩しないようにするとともに、熱や水蒸気などもできるだけ加熱室３外に漏れないようにする構造が取り入れられている。
【００１１】
また、ドア６は、食品２の有無や、加熱中食品の加熱状況が観察できるよう高周波漏洩防止用の金属パンチング穴と、これを保護する耐熱ガラスから構成されるファインダ部６ａが設けられ、加熱室３内を覗くことができる構造が取り入れられている。さらに、前記したように使用者が操作する取手６ｂを有している。
【００１２】
従って、ドア６の構造が複雑になり、ドア６の重量が重くなるとともに、加熱室３の開口部４周辺の平面部とドア平面部との密着を良くするためにドア６をコイルバネなどで強く引き込む構成が一般的であり、このためにドア６を閉じる際の開閉動作が重くなるとともに、ドア６を閉鎖する際にドア６と前板５とが衝突して衝撃音を発生する。
【００１３】
この従来の高周波加熱装置におけるドア６の開閉装置１０の構成と動作について図１６から図１８を用いて説明する。
【００１４】
図１６はドア６が閉鎖されている状態を示している。ドア６は回転支点１１のまわりに回転自在に軸支されている。ばね１２は一端を本体１に固定されたばね掛け部１３に掛けられ、他端をドアアーム７に設けられたばね掛け部１４に掛けられ、ばね１２に生じる矢印１５ａ方向の引っ張り力でドアアーム７に設けられたばね掛け部１４を引っ張る。
【００１５】
ドアアーム７は、回転支点１６のまわりに回転自在に軸支されたローラ１７に対してその摺動面１８が接しており、かつ、ドア６に設けられたドアピン２０に対して回動自在に軸支されている。
【００１６】
また、ドアアーム７は、ばね１２によりばね掛け部１４に加えられる矢印１５ａ方向の引っ張り力によって摺動面１８がローラ１７に沿って移動しようとし、結果としてドアピン２０に対して矢印２１ａ方向の力を与え、ドア６は前板５に向かって所定の力で押し付けられて前板５との隙間を塞ぎ、さらにドア６は図１のドアスイッチ９を押してドア６が正しく閉鎖されたことを検出する。
【００１７】
図１７は、ドア６が開放された状態を示している。ドア６の開放とともにドアアーム７はドアピン２０によって前板５より引き出され、摺動面１８はローラ１７に沿って移動する。摺動面１８の後端にあるストッパ１９がローラ１７に当接すると、ドアアーム７はそれ以上引き出されることはなく、ドア６は全開の状態となる。このとき、ばね１２は、ばね掛け部１４に対して矢印１５ｂ方向の引っ張り力を与え、ドアアーム７はドアピン２０に対して矢印２１ｂ方向の引っ張り力を与えてドア６を閉じる方向の力を生じるが、ドア６は重心Ｇに自重Ｗなる質量を持っているので、自重による開きモーメントとドアアーム７から生じる閉じモーメントの大小関係として、（自重による開きモーメント）＞（アームから生じる閉じモーメント）となすようにばね力を設定すれば、ドア６は全開の状態を保持することができる。
【００１８】
図１８は、ドア６開閉時の途中の状態で、ドア６が開閉いずれの力を生じるかを説明した図である。
【００１９】
この図１８において、ドア６が開き、第一の角度θ１まで開いた状態（第一の開き角度）を６ｄとする。ドア６の開き角度がθ０からθ１の範囲（第一の角度範囲）においては、ばね１２の引っ張り力１５ｃによってドアアーム７が矢印２２方向に引っ張られることによって生じるドア６を閉じる方向に働くモーメントは、ドア６の重心Ｇに働く自重Ｗによって生じるドア６を開く方向に働くモーメントより大きく、ドア６は矢印２３方向に移動して図１６の状態にいたるまで閉じる。
【００２０】
一方、ドア６の開き角度がθ１よりも大きい第二の角度まで開いた場合（第二の開き角度）には、ドア６の重心Ｇに働く自重Ｗによって生じるドア６を開く方向に働くモーメントがばね１２の引っ張り力１５ｃによってドアアーム７が矢印２２方向に引っ張られることによって生じるドア６を閉じる方向に働くモーメントよりも大となるために、ドア６は矢印２４の方向に移動して図１７に示した全開状態に至る。
【００２１】
以上のような構成なので、ドア６は開き角度がθ１より小となった場合には、ばね力によって閉じる力が常に加わるので、もしユーザが取手６ｂから手を離した場合には、ドア６は前板５に勢い良く衝突するので耳障りな衝撃音がする。
【００２２】
また、ドア６を図１７に示した全開状態から、ユーザが勢いを付けて閉じた場合には、ドア６の開き角度がθ１以下になってからさらにばね力による閉じ方向のモーメントが加わるので、ドアが閉じた際の衝撃音はさらに大きくなる。
【００２３】
これらの従来技術において、前記した衝撃音を解決するドアの開閉方式として特許文献１から３に示すものがある。
【００２４】
【特許文献１】特開２００２−３９５４１号公報
【特許文献２】特開２００２−２２８１６１号公報
【特許文献３】特開平１１−３２５４７６号公報
【発明の開示】
【発明が解決しようとする課題】
【００２５】
前記特許文献１には、ドアの開閉に連動して動作する作動レバーと、連結レバーとを備え、ドアを閉じた際と、ドアを開いた際の衝撃力をともにダンパに伝達して緩衝する構成が開示されている。
【００２６】
しかし、この構成においては、ドアを開閉する途中においてダンパの先端が本体の開口部の前板から出っ張るのでユーザは邪魔である。
【００２７】
また、ドアが閉じられてダンパが最も縮んだ位置になってからドアが開かれ、ダンパが戻りバネによってストロークの初期位置に戻るまでに時間がかかるので、ユーザがドアを一時的に開いてすぐに閉じた場合にはダンパが初期位置に戻りきらないので緩衝効果が十分ではないという問題点がある。
【００２８】
また、特許文献２には、ドアの回転支点であるヒンジ部に、ドアの開閉動作に応じて作動するダンパを設けて開閉動作の双方、または閉動作方向にのみ動作する構成が開示されている。
【００２９】
かかる構成においては、ドアを開閉動作する間の全ての動作範囲、又は閉動作の間の全ての動作範囲においてダンパによる抵抗力が動作力に付加されるため、ユーザにとってドアの開閉動作が重くなるか、ドアの閉鎖動作が遅くなる。
【００３０】
さらに、特許文献３には、ドアと対抗した本体の前板にダンパを突き出すように設けた構成が開示されているが、この構成においては、ダンパの先端が前板から出っ張っているのでユーザが邪魔である。
【課題を解決するための手段】
【００３１】
本発明は上記の課題を解決するためになされたものであり、請求項１では、食品を収納する加熱室と、加熱室の開口部に装備した開閉自在なドアと、ドアの開閉に連動して作動するドアスイッチと、加熱室の開口部を構成する前板と、一端を前記ドアに回転可能に取付けられたドアアームと、一端をドアアームに取り付け、かつ、ドアアームを引力してドアを前板に密着させて閉じる方向に力を付与するスプリングと、前記ドアが閉じられる際のドアの閉じ速度を減速する方向に減衰力を付与する
減衰手段とを備え、前記減衰手段は、前記ドアアームに対して減衰力を付与するものである。
【００３２】
また、請求項２では、前板とドアの開き角度が、全閉から第一の開き角度に至るまでの第一の角度範囲においては、前記ドアはスプリングの力によって前板に密着するまで閉じられ、ドアの開き角度が全閉から第二の開き角度に至るまでの第二の角度範囲においては、ドアの閉じ速度を減速する減衰力を付与する減衰手段を備え、前記第一の角度範囲を前記第二の角度範囲より大きくしたものである。
【００３３】
また、請求項３では、前記減衰手段は、前記ドアアームの一部が嵌合、又は退避可能に設けられた回動アームと接続され、前記ドアの開き角度が前記第二の角度範囲内においてはドアアームの一部が回転アームに設けられた案内溝に侵入し、前記第二の角度範囲の外においては前記ドアアームの一部は前記案内溝から離脱するものである。
【００３４】
また、請求項４では、前記減衰手段は、ドアが閉じる方向に移動する場合のみに機能する一方向動作ダンパとしたものである。
【００３５】
さらに、請求項５では、前記回転ダンパは、第二の開き角度以下までドアが閉じられた際に、前記回動アームがドアを閉じる方向に移動することにより回転ダンパの歯車と回動ア―ムの歯車が噛み合い、前記回転ダンパを回転することによって減衰力を生じ、ドアを開く方向に移動した場合には回転ダンパと噛み合い部材とは離反する方向に移動することによって減衰力を生じないようにしたものである。
【発明の効果】
【００３６】
上記本発明によれば、ドアが閉じられる際のドアの閉じ速度を減速する減衰手段を備え、該減衰手段の減衰力をドアアームに対して付与するようにしたので、ドアを閉じる際にドアが前板に衝突して不快な衝撃音を発するのを減衰することができる。
【００３７】
また、前記の構成によって、前板に減衰手段による出っ張りがないためユーザが食品を出し入れする際に邪魔になることがなくなる。
【００３８】
また、すばやくドアを開閉した場合にも閉時の緩衝効果があり、全開状態から一気にドアを閉じた場合にもスムースなドア閉動作ができるという効果がある。
【発明を実施するための最良の形態】
【００３９】
以下、本発明の一実施例を図面に基づいて説明する。
【実施例１】
【００４０】
図２はドア６を閉じた状態を示し、図３から図４はドア６を開く途中の状態を示してい
る。
【００４１】
減衰手段である回転ダンパ３０は、本体１の側面に設けられた回動中心３０Ａのまわりに回動自在に支持されており、回転ダンパ３０には閉じ爪３１と開き爪３２とを備えた回動アーム３５が回転ダンパ３０と共に回転するように設けられており、閉じ爪３１と開き爪３２との間には案内溝となる凹部３３が設けられており、後述するピン７Ｐが前記凹部３３に嵌合または離脱できる構成である。
【００４２】
回転ダンパ３０は、図示しないが、一方向回転クラッチが内蔵されており、図示ＣＣＷ方向には一方向回転クラッチは空転して自在に回動し、図示ＣＷ方向に回転する場合には一方向クラッチは噛み合って所定の回転負荷トルクを生じる構成である。
【００４３】
ドアアーム７の一端には、例えば円筒状のピン７Ｐが設けられており、ドア６が開閉するに従って動作軌跡３４に沿って移動する。図２に示したようにドア６が閉じた状態では、ピン７Ｐは前記回動アーム３５に設けられた凹部３３に嵌合されているので、図２に示した状態から図３に示した状態までドア６を開いた場合には、回動アーム３５は矢印ＣＣＷ方向に回転するので一方向クラッチは空転して回転負荷を発生しない構成となっている。
【００４４】
図３に示したように、ドア６を開きつつある状態では、ピン７Ｐが軌跡３４に沿って移動する間に回動アーム３５の開き爪３２の先端部に接している間は回動アーム３５は矢印ＣＣＷ方向に回転し続け、ピン７Ｐが開き爪３２の先端から離反した時点で回動アーム３５は回転を停止し、その位置である待機位置で留まる構成である。
【００４５】
ドア６を閉じた場合には、回動アーム３５は前記待機位置に留まっているので、ピン７Ｐが動作軌跡３４に沿って移動すると、該ピン７Ｐは開き爪３２の先端に接してから閉じ爪３１に当接し、回動アーム３５に設けられた凹部３３に嵌合し、回動アーム３５は矢印ＣＷ方向に回転して回転ダンパ３０によって所定の回転負荷トルクが発生し、凹部３３からピン７Ｐを介して矢印２５方向の力がドアアーム７に加わり、これによってドア６を閉じる速度が減速してドア６を静粛に閉じることができる。
【００４６】
なお、回転ダンパ３０の戻り動作を、例えば別途設けた戻りスプリングの張力などによって行う場合には、ドア６を急激に開いてから引き続いて急激に閉じた場合には、回転ダンパ３０の戻り動作に時間がかかるためドア６の開き動作に対して時間遅れが生じ、次の閉じ動作の際には回転ダンパ３０による減衰力が作用しないので静粛に閉じることができないという問題がある。
【００４７】
ところが、上記したように、減衰手段である回転ダンパ３０は、ドア６の閉じ位置からの開き角度に同期して矢印ＣＣＷ方向に回転するので、ドア６を急激に開いてから引き続いて急激に閉じた場合でも減衰力をピン７Ｐに加えることができるのでドア６を減速して静粛に閉じることができる。
【００４８】
上記したように、本実施例では、ドアアーム７に設けたピン７Ｐを回転ダンパ３０に設けた回動アーム３５に設けた凹部３３にドア６の開閉動作に応じて嵌合、又は離反自在に配置したので、ドア６が全開の時にも前板５に余計な出張りを生じることがなり、これによってユーザが食品を出し入れする際にドアアーム７が邪魔になることはなく、使い勝手の点で好適である。
【００４９】
次に、図４および図５を用いて回転ダンパ３０による減衰力と、スプリング１２によるドア６の閉じ力の作用範囲と、ドア６の閉じ動作との関係について説明する。
【００５０】
先に図１８を用いて従来の高周波加熱装置のドア６の開き角度とスプリング１２による開閉力との関係を説明したが、図４および図５における角度θ１も図１８と同じくドア６の開き角度がθ１以下（第一の開き角度）の場合（第一の角度範囲）は、ドア６はスプリング１２によりドアアーム７から矢印２３方向の力を受けて閉じ、角度θ１以上（第二の開き角度）の場合（第二の角度範囲）には、ドア６の自重が勝って自動的に開く。
【００５１】
ここで、開き角度がθ２より小なる範囲でドアアーム７には減衰力が加わるものとする。すなわち、ドアアーム７に設けられたピン７Ｐが動作軌跡３４に沿って矢印２３方向に移動して回動アーム３５に備えられた閉じ爪３１に当接して回動アーム３５が回転し始める時のドア６の開き角度をθ２とする。
【００５２】
ここで、θ１とθ２の大小関係とドアの閉じ動作の関係について説明する。これは６Ｃで示したドア６を全開にした状態から、矢印２６の方向に勢いを付けてドア６を閉じる操作をした場合である。
【００５３】
図４は、θ２＜θ１の場合であるが、この場合、もしドア６の開き角度がθ２＜θ１なる範囲まで閉じられればドア６は矢印２３のように閉じる方向の力を受け、θ２まで閉じられたのち、ドアアーム７に設けられたピン７Ｐが回動アーム３５の閉じ爪３１に当接して減衰力が働き、ドア６の閉じ速度は減速されるもののドア６は閉じ方向の力２３を受け続けるので、減速しながら閉じ動作が継続して最終的には閉じられる。
【００５４】
図５はθ２＞θ１の場合であるが、この場合には、もしドア６の開き角度がθ２＜θ１なる範囲まで閉じられれば図４に示したθ２＜θ１の場合と同じようにドア６は減速しながら閉じられるが、ドア６を閉じる勢いが十分にない場合、ドア６は角度θ２に至った位置でドアアーム７に設けられたピン７Ｐが回動アーム３５の閉じ爪３１に接して減速が始まるので、ドア６は角度θ１の位置まで至らず、θ２とθ１との間の位置に停止する場合がある。その位置ではドア６は、ドアアーム７から矢印２４に示す開き方向の力を受けているので、ドア６は再び開き始め、最後は全開位置６Ｃに至る。すなわち、ユーザはドア６を閉じようとしているのに対して、ドア６は閉じられることなく再び開くという、ユーザの意思とは異なる動作を行う。
【００５５】
図４および図５により説明したように、本実施例によれば、ドアアーム７によりドア６に閉じる方向の力を加える開き角度θ１と減衰手段による制動力が加えられる開き角度θ２の大小関係がθ２＜θ１なるようにすることで、ユーザの意思の通りにドア６を閉じることができるので好適である。
【実施例２】
【００５６】
別の実施例を図６および図７に示す。このものは、回動アーム３５の外周に設けられたギヤＡと回転ダンパ３０に設けられたギヤＢを介して両者を接続したもので、図６はドア６が閉じた状態、図７はドア６を開く途中の状態を示している。
【００５７】
ドア６を開くと、回動アーム３５は矢印ＣＣＷ方向に回転し、回動アーム３５のギヤＡと噛み合った回転ダンパ３０のギヤＢを矢印ＣＷ方向に回転させる。特に、（ギヤＡの歯数）＞（ギヤＢの歯数）としてこれらを噛み合わせることにより、回動アーム３５の回転速度よりも回転ダンパ３０の回転速度を高速とすることができる。これにより、回転ダンパ３０は高速で回動するので、より弱い回転ダンパ３０でも減衰効果を大きくすることができ、回転ダンパ３０を小型化することができる。
【実施例３】
【００５８】
上記で説明した実施例では、回転ダンパ３０はドア６が閉じる方向に動作した際にのみ作用する一方向ダンパを備えた場合について説明したが、さらに別の実施例として図８から図１５により、回転ダンパ３０に一方向動作機能を持たせず、他の手段により一方向動作機能を備えた実施例について説明する。
【００５９】
図８および図９において、回動アーム３５の回転中心３５Ｃは、揺動アーム３６に設けられており、揺動アーム３６は揺動中心３６Ｃのまわりに所定の角度だけ揺動自在に支持されている。
【００６０】
回動アーム３５の周囲には歯車３５Ｂが設けられており、回転ダンパ３０の回転軸にも歯車３０Ｂが設けられており、回転ダンパ３０は左右いずれの方向に回転しても減衰トルクが働く構成で、一方向動作機能を持っていない。
【００６１】
図８はドア６を閉じる場合を示しており、ドア６は矢印ＣＷ方向に回転するのでドアアーム７は回動アーム３５を矢印ＣＷ方向に回転させ、揺動アーム３６とともに揺動中心３６Ｃのまわりに矢印ＣＷ方向に揺動し、回動アーム３５に設けられた歯車３５Ｂと回転ダンパ３０に設けられた歯車３０Ｂが噛み合って回転ダンパ３０を矢印ＣＣＷ方向に回転させる。
【００６２】
これによって、回転ダンパ３０は減衰トルクを発生して回動アーム３５の閉じ爪３１とドアアーム７に設けられたピン７Ｐを経由してドアアーム７に減衰力を加え、ドア６を閉じる際に制動力を加えるので閉動作の際に減速してドア６が前板５に衝突することがなくなり、不快な衝撃音を低減できる。
【００６３】
次に、図９によってドア６を開く際の動作を説明すると、ドア６を開く動作によってドアアーム７とピン７Ｐは矢印２５方向に移動するのでピン７Ｐは回動アーム３５の開き爪３２に当接し、回動アーム３５と揺動アーム３６とを矢印ＣＣＷ方向に回動させる。
【００６４】
上記ＣＣＷ方向への回動動作によって回動アーム３５に設けられた歯車３５Ｂと回転ダンパ３０に設けられた歯車３０Ｂとは噛み合いを離脱し、回動アーム３５は回転ダンパ３０からの減衰力を受けることなく空転し、ユーザにとってドア開き動作に回転ダンパ３０は影響しなくなる。
【実施例４】
【００６５】
図１０と図１１を用いてさらに別の実施例について説明する。揺動アーム３６は、一端を回転ダンパ３０の回転中心３０Ｃと同心で揺動自在に支持されており、他の一端には閉じ爪３１と開き爪３２とを備えた回動アーム３５を閉じ爪３１と開き爪３２の近傍に設けられた回動中心３５Ｃのまわりに揺動自在に支持している。
【００６６】
回転ダンパ３０の外周には歯車３０Ｂが設けられており、さらに回動アーム３５の回転ダンパ３０と向かい合った面には前記歯車３０Ｂと噛み合うことができる歯車３５Ｂが設けられている。
【００６７】
図１０によってドア６を閉じる際の動作を説明すると、ドアアーム７は矢印２３方向に移動するので回動アーム３５は回動中心３５Ｃのまわりに矢印ＣＷ方向に回動して歯車３５Ｂと歯車３０Ｂとが噛み合い、しかる後、回動アーム３５は回転ダンパ３０と一体になって回転するので、閉じ爪３１からピン７Ｐ、ドアアーム７を通してドア６に制動力を与えることができる。
【００６８】
図１１によってドア６を開く際の動作を説明すると、ドアアーム７が矢印２５方向に移動すると、回動アーム３５は回動中心３５Ｃのまわりに矢印ＣＣＷ方向に回動するので歯車３５Ｂと歯車３０Ｂとは噛み合った状態から離脱して回動アーム３５と揺動アーム３６とは回転ダンパ３０の回転中心３０Ｃのまわりに矢印ＣＣＷ方向に回動し、回動アーム３５は回転ダンパ３０からの減衰力を受けることなく空転するので、ユーザにとってドア開き動作には回転ダンパ３０は影響しない一方向回転動作となる。
【実施例５】
【００６９】
図１２と図１３を用いてさらに別の実施例について説明する。揺動アーム３６は一端を回転ダンパ３０の回転中心３０Ｃと同心で揺動自在に支持されており、他の一端には閉じ爪３１と開き爪３２とを備えた回動アーム３５を閉じ爪３１と開き爪３２に対してダンパ３０の回転中心３０Ｃから反対側に設けられた揺動中心３６Ｃのまわりに揺動自在に支持している。
【００７０】
回転ダンパ３０の外周には歯車３０Ｂが設けられており、さらに回動アーム３５の回転ダンパ３０に向かい合い、かつ、ドア６の近傍の側には上記歯車３０Ｂと噛み合うことができる歯車３５Ｂが設けられている。
【００７１】
図１２によってドア６を閉じる際の動作を説明すると、ドアアーム７は矢印２３方向に移動するので回動アーム３５は揺動中心３６Ｃのまわりに矢印ＣＷ方向に回動して歯車３５Ｂと歯車３０Ｂとが噛み合い、しかる後、回動アーム３５は回転ダンパ３０と一体になって回転し、閉じ爪３１からピン７Ｐ、ドアアーム７を通してドア６に制動力を与えることができる。
【００７２】
図１３によってドア６を開く際の動作を説明すると、ドアアーム７が矢印２５方向に移動すると、回動アーム３５は揺動中心３６Ｃのまわりに矢印ＣＣＷ方向に回動するので歯車３５Ｂと歯車３０Ｂとは噛み合った状態から離脱し、回動アーム３５と揺動アーム３６とは回転ダンパ３０の回転中心３０Ｃのまわりに矢印ＣＣＷ方向に回動するので、回動アーム３５は回転ダンパ３０からの減衰力を受けることなく空転し、ユーザにとってドア開き動作には回転ダンパ３０は影響しない一方向回転動作となる。
【実施例６】
【００７３】
図１４と図１５を用いてさらに別の実施例について説明する。揺動アーム３６は一端を揺動中心３６Ｃのまわりに揺動自在に支持されており、他の一端には閉じ爪３１と開き爪３２とを備えた回動アーム３５を回転ダンパ３０の回転中心３０Ｃと同心で揺動自在に支持している。回転ダンパ３０の内周部には歯車３０Ｂが設けられており、さらに回動アーム３５の外周には前記歯車３０Ｂと噛み合う歯車３５Ｂがドアアーム７とは反対側に設けられている。
【００７４】
図１４によってドア６を閉じる際の動作を説明すると、ドアアーム７は矢印２３方向に移動するので回動アーム３５は揺動アーム３６とともに揺動中心３６ｃのまわりに矢印ＣＷ方向に回動して歯車３５Ｂと歯車３０Ｂとは噛み合い、しかる後、回動アーム３５は回転ダンパ３０と一体になって回転し、閉じ爪３１からピン７Ｐ、ドアアーム７を通してドア６に制動力を与えることができる。
【００７５】
図１５によってドア６を開く際の動作を説明すると、ドアアーム７が矢印２５方向に移動すると、揺動アーム３６と回動アーム３５は揺動中心３６Ｃのまわりに矢印ＣＣＷ方向に揺動するので歯車３５Ｂと歯車３０Ｂとは噛み合った状態から離脱して、回動アーム３５は回転ダンパ３０からの減衰力を受けることなく回転中心３０Ｃのまわりに空転するので、ユーザにとってドア開き動作には回転ダンパ３０は影響しない一方向回転動作となる。
【００７６】
本発明は、上記にて説明したような構成としたので、高周波加熱装置のドアを閉じる際に減衰力を働かせてドアが前板に衝突する不快な衝撃音を低減することができる。
【００７７】
また、減衰力をドアアーム７に作用するように減衰手段を配置したので、ドアを開いた際に前板からの突起物が無いために、ユーザが食品を内部に出し入れする際の障害にならないという利点がある。
【００７８】
さらに、前記減衰手段は、ドアを閉じる際にのみ動作する一方向動作機能を設けたので、ユーザがドアを開く際には減衰力は作用しないのでドアの開き力が増大することはないので好適である。
【図面の簡単な説明】
【００７９】
【図１】従来及び本発明を説明するための高周波加熱装置の外観斜視図である。
【図２】本発明の一実施例における高周波加熱装置のドアが閉じた状態を示す説明図である。
【図３】本発明の一実施例における高周波加熱装置のドアが途中まで開いた状態を示す説明図である。
【図４】本発明の一実施例における高周波加熱装置のドアの開閉条件を説明する説明図である。
【図５】本発明の一実施例における高周波加熱装置のドアの開閉条件を説明する説明図である。
【図６】本発明の他の実施例における高周波加熱装置のドアが閉じた状態を示す説明図である。
【図７】本発明の他の実施例における高周波加熱装置のドアを開く途中状態を示す説明図である。
【図８】本発明のさらに他の実施例における高周波加熱装置のドアが閉じられる状態を示す説明図である。
【図９】本発明の本発明のさらに他の実施例における高周波加熱装置のドアを開く途中状態を示す説明図である。
【図１０】本発明のさらに他の実施例における高周波加熱装置のドアが閉じられる状態を示す説明図である。
【図１１】本発明の本発明のさらに他の実施例における高周波加熱装置のドアを開く途中状態を示す説明図である。
【図１２】本発明のさらに他の実施例における高周波加熱装置のドアが閉じられる状態を示す説明図である。
【図１３】本発明の本発明のさらに他の実施例における高周波加熱装置のドアを開く途中状態を示す説明図である。
【図１４】本発明のさらに他の実施例における高周波加熱装置のドアが閉じられる状態を示す説明図である。
【図１５】本発明の本発明のさらに他の実施例における高周波加熱装置のドアを開く途中状態を示す説明図である。
【図１６】従来の高周波加熱装置のドアが閉じた状態を示す説明図である。
【図１７】従来の高周波加熱装置のドアが開いた状態を示す説明図である。
【図１８】従来の高周波加熱装置のドアが途中まで開いた状態を示す説明図である。
【符号の説明】
【００８０】
１    本体
３    加熱室
４    開口部
５    前板
６    ドア
７    ドアアーム
７Ｐ  ピン
９    ドアスイッチ
１１    回転支点
１２    ばね
１６    回転支点
３０    回転ダンパ
３０Ｂ  歯車
３０Ｃ  ダンパ回転中心
３１    閉じ爪
３２    開き爪
３５    回動アーム
３５Ｂ  歯車
３５Ｃ  回動中心
３６    揺動アーム
【図１】
2006145068.tif 000003
【図２】
2006145068.tif 000004
【図３】
2006145068.tif 000005
【図４】
2006145068.tif 000006
【図５】
2006145068.tif 000007
【図６】
2006145068.tif 000008
【図７】
2006145068.tif 000009
【図８】
2006145068.tif 000010
【図９】
2006145068.tif 000011
【図１０】
2006145068.tif 000012
【図１１】
2006145068.tif 000013
【図１２】
2006145068.tif 000014
【図１３】
2006145068.tif 000015
【図１４】
2006145068.tif 000016
【図１５】
2006145068.tif 000017
【図１６】
2006145068.tif 000018
【図１７】
2006145068.tif 000019
【図１８】
2006145068.tif 000020